(57)【特許請求の範囲】
【請求項１】
鋸胴と折胴と咥え胴を平行に設け、鋸胴と折胴の間に案内された連続紙を、その先行側を折胴に設けた保持機構で保持して折胴の回転によって折胴の外周面に巻き付けつつ折胴の外周面に沿って案内し、鋸胴と折胴とに設けられた切断機構の共同作用にて予め定められた長さの被切断紙に切断し、更にこの被切断紙を折胴の外周面に沿って適宜位置まで案内し、被切断紙の先行側を保持機構から解放するとともに、この被切断紙の中間部を折胴に設けた紙幅方向に断続する作用部を有する差し刃で咥え胴内に差し込み、この差し込まれた紙を咥えることによって、前記被切断紙を折胴の中心線と平行に折り畳む、輪転機の折畳部の咥え胴に設けた咥え装置において、
回転によって折胴の差し刃と近接対向する咥え胴の外周面に咥え胴の中心線と平行で、かつ差し刃の作用部を差し込み可能にして設けた少なくとも１つの開口部と、
開口部の咥え胴の中心線と平行な内壁の一方側に、差し刃の作用部に対応する位置に逃がし部を、差し刃の作用部に対応しない位置に作用部を交互に配して、差し刃が被切断紙を差し込んだときに、差し刃の作用部に対応する被切断紙が不要な押し付け力を受けることなく差し込まれるように設けるとともに、作用部を平面状に形成した固定あごと、
固定あごと対向して咥え胴の中心線と平行に配するとともに、差し刃が被切断紙を差し込んだ後に固定あごに近接した咥え位置とそうでない位置とに移動可能に可動咥えを設けた咥え手段を有する、
ことを特徴とする折畳部の咥え装置。
【請求項２】
可動咥えが、固定あごと対応させて作用部と逃がし部をそれぞれ備えたことを特徴とする請求項１記載の折畳部の咥え装置。
【発明の詳細な説明】
【０００１】
【発明の属する技術分野】
この発明は、輪転機の折畳部に設けられる咥え胴の咥え装置に関するものである。
【０００２】
【従来の技術】
輪転機の折畳部で、上流側から案内された連続紙を折胴の外周面に巻き付けつつ、適宜長さに切断し、切断されて折胴の外周面に沿って案内された紙を、折胴に設けられた差し刃により折胴に近接して設けられた咥え胴内に差し込み、これを咥え胴内にて咥えることによって、前記切断した紙を折胴の中心線と平行に折り畳むようにした咥え胴に設けた咥え装置については、例えば実開平２−５５６７２号の全文明細書及び実開昭６０−１９３３６５号の全文明細書に示されたものが公知である。
【０００３】
前記した従来の技術のうちの第１従来技術（実開平２−５５６７２号の全文明細書）には、折胴の差し刃と近接対向する位置にある咥え胴の外周面上の開口部で、回転方向の後方側壁面の先端に設けられる固定あごと、前記開口部内で固定あごと対向して、前記差し刃で差し込まれた紙を固定あごとの間に咥えるために、紙を咥える位置と、そうでない位置とに移動可能にした平板よりなる可動咥えと、固定あごの紙を咥える面及び可動咥えの紙を咥える面の両方またはいずれか一方の咥えられる紙の先端部と対向する位置に、この先端部の紙が解放されるように設けた段差とで構成される咥え位置が示されている。
【０００４】
また、前記した従来の技術のうちの第２従来技術（実開昭６０−１９３３６５号の全文明細書）には、折胴の差し刃と近接対向する位置にある咥え胴の外周面上の開口部で、回転方向の後方側壁面の先端に設けられた固定あごと、前記開口部内で固定あごと対向して、前記差し刃で差し込まれた紙を固定あごとの間に咥えるために、紙を咥える位置と、そうでない位置とに移動可能にした平板よりなる可動咥えと、可動咥えを貫通して固定あごに対向して設けられ、差し刃で差し込まれた紙を固定あご側へ押し付けるピンと、このピンに押しつけ力を伝達する板ばねと、ピンと対向する固定あご面に設けられ、差し込まれた紙をピンとともに咥えるウレタン材とで構成する咥え装置及びピンに対向する位置が切り欠かれた差し刃が示されている。
【０００５】
他方、通常の場合、咥え装置は、固定あごと可動咥えによって紙を咥える際に咥える紙の厚さの相違への対応及び差し刃を咥え装置から抜き出した後に生じる差し刃の厚さ分の緩みを解消できるように、可動咥え側の支持部などにばねなどの反発部材を介在させた構成になっている。
【０００６】
以上記載の各従来技術では、折胴の外周面に案内された連続紙は、その先行側が折胴に設けた保持機構で保持され、折胴の回転によって折胴の外周面に巻き付けられながら折胴の外周面に沿って案内され、次に、切断機構により予め定められた長さに切断される。
【０００７】
更に被切断紙は、折胴の外周面に沿って案内され、適宜位置にて先行側が保持機構から解放されながら折胴に設けた差し刃で咥え胴内に差し込まれる。この咥え胴内に差し込まれた差し刃及び紙は、差し刃と対向する咥え胴の開口部内で固定あご及び可動咥えにより咥えられる。
【０００８】
このとき、第１従来技術においては、固定あごと可動咥えとで差し刃及び差し刃の両側の紙を咥えた後、差し刃が抜き出されるときに、差し刃で差し込まれた差し刃の両側に位置する紙の間に差し刃の厚さ分の空間ができるが、この空間は、可動咥え側に設けた反発部材の作用により閉じられ、完全に咥え胴の固定あごと可動咥えに咥えられ、被切断紙は折胴の中心線と平行に折り畳まれる。そして前記被切断紙が咥え胴の固定あごと可動咥えにて咥えられるときには、折り畳まれる紙の先端部は、前記固定あご及び可動咥えの両方、またはいずれか一方の段差により咥えられることから解放された状態になっている。
【０００９】
また、第２従来技術においては、固定あごと可動咥えとで差し刃及び差し刃の両側の紙を咥え、更に板ばねのたわみによる反発力により固定あご側のウレタン材と可動咥えとの間の紙だけをウレタン材とピンとで咥える。次に、差し刃が抜き出されるときに、差し刃で差し込まれた差し刃の両側に位置する紙の間に差し刃の厚さ分の空間ができるが、この空間は、可動咥え側に設けた反発部材の作用により閉じられ、完全に咥え胴の固定あごと可動咥えにより咥えられるとともに、板バネの反発力で紙を押し付けているピンは、そのままウレタン材に紙を押し付けながら、被切断紙は折胴の中心線と平行に折り畳まれる。
【００１０】
以上のように、それぞれの従来技術の咥え装置により折り畳まれた紙は、その後、咥え胴の咥え装置に咥えられながら咥え胴の回転とともに案内され、適宜位置にて咥えから解放され、下流側の排出機構に引き渡される。
【００１１】
【発明が解決しようとする課題】
前記した従来技術には、幾つかの解決すべき課題があった。すなわち、第１及び第２従来技術においては、差し刃にて被切断紙が咥え胴の固定あごと可動咥えとの間に差し込まれるときに、固定あごと差し刃間に挟まれた紙は逃げ場がなく、差し刃と固定あごにしごかれながら紙が折り畳まれる。
【００１２】
また、前記に加え、第２従来技術においては、ピンと対向する固定あご面に設けられたウレタン材の摩擦抵抗によりこの間に差し込まれる紙は前記と同様にしごかれ、また、こすられるので、この紙の表面が汚れるとともに、重なり合った紙が押し付けられることにより、それぞれ向い合わせの印刷面が写る、セットオフが生じ、紙面が汚れてしまう。
【００１３】
更に、第２従来技術においては、ピンは板ばねにより押し付け力が伝達されているので、紙を咥えていないときは、常に可動咥えの咥え側の面よりピンが突き出た状態にあるため、差し刃が突き出されて被切断紙を咥え胴の固定あごと可動咥えとの間に差し込むときに、紙が突き出たピンに接触し、紙表面に傷が生じる場合があった。また、ピンで被切断紙を咥える際に、押し付け面積の狭いピンで咥えるので、このことによっても紙表面に傷が生じる場合があった。
【００１４】
また、第１及び第２従来技術における可動咥えは、被切断紙を咥える際に、必ず差し込まれた紙のほかに差し刃を咥えるので、紙だけを咥えるときより紙及び差し刃を咥えたときの可動咥えの可動咥え側に設けられた反発部材の押し付け力は差し刃の厚さ分だけ強くなってその分紙を強く咥えるので、セットオフが生じ、紙面が汚れてしまっていた。
【００１５】
また、第１従来技術のように、固定あごと平板の可動咥えで差し刃と紙を咥えたときに、差し刃を抜き出す際に、固定あごと可動咥えのいずれにも紙のすべりを抑えるものがないので、紙が差し刃とともに咥え胴の外へ引き出されてしまい、折り畳まれる紙に乱れが生じる恐れがある。
【００１６】
この発明は、前記従来の技術がかかえていた課題を一挙に解決しようとするもので、差し刃が突き出されてこれにより被切断紙が固定あごと可動咥えとの間に差し込まれるときに、被切断紙がスムーズに抵抗なく挿入されて、この差し刃の差し込み時に生じる紙面の傷や汚れをなくし、また、差し刃を咥えずに、差し込まれた被切断紙だけを固定あごと可動咥えの作用部で咥えることにより、差し刃も一緒に咥えたときの咥えが強すぎたときに生じる紙面の汚れをなくし、更に、差し刃が咥え装置から抜け出るときの紙の乱れを防ぐことができる折畳部の咥え装置を提供することを目的としている。
【００１７】
【課題を解決するための手段】
前記目的を達成するために、この発明に係る折畳部の咥え装置は、鋸胴と折胴と咥え胴を平行に設け、鋸胴と折胴の間に案内された連続紙を、その先行側を折胴に設けた保持機構で保持して折胴の回転によって折胴の外周面に巻き付けつつ折胴の外周面に沿って案内し、鋸胴と折胴とに設けられた切断機構の共同作用にて予め定められた長さの被切断紙に切断し、更にこの被切断紙を折胴の外周面に沿って適宜位置まで案内し、被切断紙の先行側を保持機構から解放するとともに、この被切断紙の中間部を折胴に設けた紙幅方向に断続する作用部を有する差し刃で咥え胴内に差し込み、この差し込まれた紙を咥えることによって、前記被切断紙を折胴の中心線と平行に折り畳む、輪転機の折畳部の咥え胴に設けた咥え装置において、回転によって折胴の差し刃と近接対向する咥え胴の外周面に咥え胴の中心線と平行で、かつ差し刃の作用部を差し込み可能にして設けた少なくとも１つの開口部と、開口部の咥え胴の中心線と平行な内壁の一方側に、差し刃の作用部に対応する位置に逃がし部を、差し刃の作用部に対応しない位置に作用部を交互に配して、差し刃が被切断紙を差し込んだときに、差し刃の作用部に対応する被切断紙が不要な押し付け力を受けることなく差し込まれるように設けるとともに、作用部を平面状に形成した固定あごと、固定あごと対向して咥え胴の中心線と平行に配するとともに、差し刃が被切断紙を差し込んだ後に固定あごに近接した咥え位置とそうでない位置とに移動可能に可動咥えを設けた咥え手段を有する構成になっている。
【００１８】
そして前記構成の折畳部の咥え装置において、可動咥えが、固定あごと対応させて作用部と逃がし部をそれぞれ備えた構成にした。
【００１９】
【作用】
紙幅方向に断続する作用部を有する差し刃にて、被切断紙を咥え胴の咥え装置内へ差し込んだときに、被切断紙の差し刃の作用部に対応する部分が、固定あごの逃がし部に、不要な押し付け力を受けることなく差し込まれる。
【００２０】
また、可動咥えが被切断紙を咥え位置に移動した後でも、固定あごの逃がし部と可動咥えとの間では、差し刃の作用部と被切断紙を、これらの間の隙間がなくなる程度に押えるだけとなり、また、差し刃の作用部がない部分では、被切断紙は固定あごの作用部と可動咥えの作用部とで、被切断紙との間に差し刃を介在することなく咥えられる。
【００２１】
また、差し刃の作用部が咥え胴の外側へ引き出され、折り畳まれようとする被切断紙から離れる際に、この被切断紙は、紙幅方向を断続状に固定あごの作用部と可動咥えの作用部とで咥えられてしっかり保持される。また差し刃の作用部に対応する部分は、固定あごの逃がし部と可動咥えとで隙間がなくなる程度に押えられる。
【００２２】
【発明の実施の形態】
次に、この発明の実施の形態を図面を参照して説明する。図１０は、この発明の咥え装置の１つの形態を実施した折畳部を示す概略的な説明図であり、図１はこの図１０のＡ−Ａ矢視断面で、差し刃挿入時を示す断面図、図２は図１のＢ−Ｂ矢視断面図、図３は図１のＣ−Ｃ矢視断面図である。
【００２３】
また、図４は図１０のＡ−Ａ矢視断面で、紙咥え時を示す断面図、図５は図４のＤ−Ｄ矢視断面図、図６は図４のＥ−Ｅ矢視断面図である。
【００２４】
また、図７は図１０のＡ−Ａ矢視断面で、差し刃抜き出し時における紙咥え状態を示す断面図、図８は図７のＦ−Ｆ矢視断面図、図９は図７のＧ−Ｇ矢視断面図である。
【００２５】
図１０に示すように、この発明の１つの形態を実施した輪転機の折畳部１６は、互いに平行に設けられているとともに、互いに対向する外周面が同一方向へ同期して回転されるようにした鋸胴１、折胴２及び咥え胴３を備えている。
【００２６】
鋸胴１には、後に説明する折胴２に設けられた鋸刃受け４とともに切断機構６を構成する鋸刃５が、その外周面の１８０度位相を違えた位置に設けられている。
【００２７】
折胴２には、前記鋸刃５とともに切断機構６を構成する鋸刃受け４がその外周面を５等分した各位置で、かつ鋸胴１の鋸刃５の間隔と同一間隔位置に設けられているとともに、折胴２の回転方向において鋸刃受け４の後方側近傍に保持機構である針７が折胴２の中心線方向（紙の幅方向）に複数設けられ、更に各鋸刃受け４相互の中間であって、かつ外周面を５等分した各位置に、紙幅方向に断続する作用部２１（図１参照）を有する差し刃８が設けられている。
【００２８】
そして、折胴２が、その外周面を鋸胴１の外周面と近接して相対するとともに、咥え胴３の外周面とも近接して相対するように、鋸胴１と咥え胴３の間に配置されており、鋸胴１の鋸刃５と折胴２の鋸刃受け４とがそれぞれ順次両胴の外周面の近接対向位置で対向し、また、折胴２の差し刃８と咥え胴３のこの発明に係る咥え装置９とがそれぞれ順次両胴の外周面の近接対向位置で対向し、それぞれ対向面の回転方向が同一の向きで同期して回転するように設けられている。
【００２９】
咥え胴３に設けられるこの発明の実施の形態に係る咥え装置９は図１、図２及び図３に示されるように、咥え胴３の外周面に設けられた開口部１０と、この開口部１０内に設けられた固定あご１１及び咥え手段１２とで構成されており、これを以下に説明する。
【００３０】
開口部１０は、回転によって折胴２の差し刃８と近接対向する咥え胴３の外周面に位置し、図１０に示した実施の形態では差し刃８の折胴２の外周方向の列の数と同じで、かつ周方向に同じ間隔位置に、咥え胴３の中心線と平行に設けた空間であり、この開口部１０内に、後に説明する固定あご１１及び咥え手段１２がおさまっている。
【００３１】
固定あご１１は、前記開口部１０の咥え胴３の回転方向の先行側壁面の先端部に配され、後に説明する可動咥え１３と共同して咥え作用をする作用部２０と、咥え作用をしない逃がし部１７が咥え胴３の中心線と平行な方向に沿って交互に設けられている。固定あご１１の作用部２０は、後に作用説明する折胴２に設けられた差し刃８の断続する作用部２１以外の部分に対応する位置に設けた面であり、差し刃８で咥え胴３の咥え装置９内に被切断紙Ｗ１が差し込まれた際に、差し刃８の作用部２１がない位置で紙と接するようになっている。
【００３２】
また、この固定あご１１の作用部２０は、後で説明する可動咥え１３の作用部１８と共同して被切断紙Ｗ１を咥える際には、前記差し刃８の作用部２１がない位置で、差し込まれた紙の部分だけを咥えることができるようになっている。更に、差し刃８の作用部２１が抜き出される際には、可動咥え１３の作用部１８と共同したままで紙を咥えた状態を保つようになっている。
【００３３】
固定あご１１の逃がし部１７は、前記開口部１０の咥え胴３の回転方向の先行側壁面先端において、折胴２に設けられた差し刃８の断続する作用部２１に対応する位置に、差し刃８と平行に配され、平行方向長さが差し刃８の作用部２１の長さより長く、しかも、前記固定あご１１の作用部２０が可動咥え１３の作用部１８と共同して被切断紙Ｗ１を咥える際の被切断紙Ｗ１の厚さ方向に段差を設けて逃がした面である。
【００３４】
そして、この逃がし部１７は、差し刃８で咥え胴３の咥え装置９内に被切断紙Ｗ１を差し込んだ際に、差し刃８の作用部２１と対応し、差し刃８の作用部２１及びこの作用部２１によって差し込まれた被切断紙Ｗ１を段差の逃げにより余裕を持って受け入れ、後で説明する可動咥え１３の逃がし部１９と共同して、間に差し刃８を差し込んだ状態で、被切断紙Ｗ１を両側より隙間がなくなる程度に軽く押えて折り畳むようになっている。したがって、この状態で差し刃８が抜き出される際には、大きな抵抗とはならない。
【００３５】
咥え手段１２は、可動咥え１３と、可動咥え１３の基部を固定するブラケット１４及びブラケット１４が取付けられる駆動伝達軸１５とで構成されている。そしてこの駆動伝達軸１５は、ブラケット１４を介して可動咥え１３を、この可動咥え１３の作用部１８と固定あご１１の作用部２０と共同して被切断紙Ｗ１を咥える位置とそうでない位置との間で移動させるようになっている。
【００３６】
可動咥え１３は、固定あご１１の作用部２０及び逃がし部１７と対向して咥え胴３の中心線と平行に、紙幅方向に連続状にして取り付けられ、固定あご１１の作用部２０と対応する位置に作用部１８が、固定あご１１の逃がし部１７と対応する位置に逃がし部１９が設けられた凹凸のある板状物である。
【００３７】
可動咥え１３の逃がし部１９は、可動咥え１３の作用部１８が固定あご１１の作用部２０と共同して被切断紙Ｗ１を咥える際の被切断紙Ｗ１の厚さ方向に凹む段差を設けて逃がした面である。
【００３８】
ブラケット１４は、可動咥え１３の咥え胴中心側を固定するべく可動咥え１３と平行に、紙幅方向に適宜個数設けられている。
【００３９】
駆動伝達軸１５は、中間部に前記ブラケット１４が取り付けられ、咥え胴３の開口部１０内に咥え胴３の中心線と平行に、かつ軸の両側を軸受けで回転可能に支持され、また、咥え胴３の側面から突出した端部に取り付けられた図示しないアームを介してコロが設けられ、咥え胴３の側面に設けられた図示しない固定カムにコロが案内されて角変位を行うようになっている。
【００４０】
なお、可動咥え１３は、これの作用部１８と逃がし部１９と紙幅方向に分割して、これらを図示しないブラケットを介して駆動伝達軸１５に取り付けるようにしてもよい。
【００４１】
また、図示しないが、可動咥え１３は逃がし部１９を設けない形状としてもよい。その場合には、前記折胴２の差し刃８により差し込まれた被切断紙Ｗ１は、咥え装置９の固定あご１１の作用部２０及び逃がし部１７と可動咥え１３との間に差し入れられ、差し刃８の作用部２１と、この差し刃８の作用部２１で咥え装置９内に差し込まれた被切断紙Ｗ１とを固定あご１１の逃がし部１７と可動咥え１３とで共同して受け入れて軽く押え、また、差し刃８の作用部２１がない被切断紙Ｗ１だけの部分では、この被切断紙Ｗ１を固定あご１１の作用部２０と可動咥え１３の作用部１８とが共同して咥えるようになっている。
【００４２】
なお、可動咥え１３に逃がし部１９を設けないときは、固定あご１１の逃がし部１７をより大きく逃がして設けるのが好ましい。
【００４３】
以上記載した実施の形態における装置の作用について説明する。この構成によれば、折畳部１６の稼動により鋸胴１、折胴２、咥え胴３が、前記したように同期して回転する。
【００４４】
そして、図示しない適宜の上流側の装置によって、連続紙Ｗが図１０に示される折畳部１６の鋸胴１の外周面と折胴２の外周面との近接対向位置に送り込まれる。この連続紙Ｗは、折胴２の外周面から突き出した針７に突き刺されて紙幅方向の複数個所で保持され、その保持された位置のすぐ先行側が、鋸刃５が鋸刃受け４に咬み込むことによって切断される。
【００４５】
針７に保持された連続紙Ｗは、折胴２の回転によってこれの後続部分が鋸胴１の外周面と折胴２の外周面との近接対向位置を通過し、折胴２に巻き込まれながら案内され、折胴２が５分の１回転すると、鋸胴１の外周面と折胴２の外周面との近接対向位置を通過中の部分が、再度折胴２の外周面から突き出した針７に突き刺されて紙幅方向の複数個所が保持され、その保持された位置のすぐ先行側が、鋸胴１の鋸刃５が鋸刃受け４に咬み込むことによって切断される。これにより、図１０に示すように、回転方向先行端部分が折胴２の針７にて保持され、後続端が前記のようにして切断された被切断紙Ｗ１が形成される。以後、鋸胴１と折胴２との近接対向位置では、上記のように連続紙Ｗの保持と切断が繰り返されて、順次被切断紙Ｗ１が形成されていく。
【００４６】
先行端部分が折胴２の針７に保持された被切断紙Ｗ１は、折胴２の回転に従ってその針７による保持部が折胴２の外周面と咥え胴３の外周面との近接対向位置を通過する。そして、被切断紙Ｗ１の長手方向の中央部が折胴２の外周面と咥え胴３の外周面との近接対向位置に至り、差し刃８が被切断紙Ｗ１を介して咥え胴３の咥え装置９と対向すると、針７が折胴２の外周面から内側に埋没し、被切断紙Ｗ１を針７による保持から解放するとともに、差し刃８が折胴２の外周面から外側へ突き出されて、被切断紙Ｗ１の略中央部を咥え胴３の咥え装置９内に差し込む。
【００４７】
咥え装置９においては、図１、図２及び図３に示されるように、前記折胴２の差し刃８により差し込まれた被切断紙Ｗ１は、咥え装置９の作用部２０及び逃がし部１７からなる固定あご１１と可動咥え１３との間に差し込まれる。
【００４８】
差し刃８の作用部２１によって、被切断紙Ｗ１が咥え胴３の固定あご１１の逃がし部１７と可動咥え１３の逃がし部１９との間に差し込まれたときにおける状態、すなわち、差し刃８の作用部２１と固定あご１１の逃がし部１７及び可動咥え１３の逃がし部１９との間の紙の状態を図２に示している。また、同じ時の、差し刃８の作用部２１部がない位置の固定あご１１の作用部２０と可動咥え１３の作用部１８との間に差し込まれた被切断紙Ｗ１の状態を図３に示している。
【００４９】
その後、図４、図５及び図６に示されるように、駆動伝達軸１５が図示しない固定カムにより角変位し、可動咥え１３を固定あご１１に向けて移動変位して咥え手段１２を閉じ、図４及び図５に示されるように、差し刃８の作用部２１及び差し刃８の作用部２１で差し込まれた被切断紙Ｗ１を、固定あご１１の逃がし部１７と可動咥え１３の逃がし部１９との間で隙間がなくなる程度に抑える。また、図４及び図６に示されるように、差し刃８の作用部２１のない位置の被切断紙Ｗ１は、固定あご１１の作用部２０と可動咥え１３の作用部１８との間に咥えられる。
【００５０】
次に、図７、図８及び図９に示されるように、固定あご１１の作用部２０と可動咥え１３の作用部１８で前記のように被切断紙Ｗ１を咥えた状態を保ちながら、折胴２の差し刃８の作用部２１が被切断紙Ｗ１から抜き出されることにより、被切断紙Ｗ１は、折胴２の中心線と平行に折り畳まれ、図１０に示すように、折帳Ｗ２となる。
【００５１】
すなわち、咥え胴３の咥え装置９では、差し刃８の作用部２１と対応する位置に、少なくとも固定あご１１の逃がし部１７を設けているので、差し刃８が被切断紙Ｗ１を咥え胴３の咥え装置９に差し込んだときに、差し刃８の作用部２１に対応する被切断紙Ｗ１が、固定あご１１の逃がし部１７に、不要な押し付け力を受けることなく差し込まれる。
【００５２】
また、差し刃８の作用部２１がない位置の被切断紙Ｗ１が、固定あご１１の作用部２０と可動咥え１３の作用部１８との間に、不要な押し付け力を受けることなく差し込まれるので、被切断紙Ｗ１が差し刃８によって固定あご１１に強く押し付けられることがなく、外面が損傷したり互いに接触す面間でセットオフすることによる汚れを防止できる。
【００５３】
また、可動咥え１３が被切断紙Ｗ１を咥える位置に移動した後でも、固定あご１１の逃がし部１７と可動咥え１３の逃がし部１９との間では、差し刃８の作用部２１と被切断紙Ｗ１を隙間がなくなる程度に押えるだけとなり、また、差し刃８の作用部２１がない部分で被切断紙Ｗ１を固定あご１１の作用部２０と可動咥え１３の作用部１８とで咥えるので、従来技術のように、差し刃８の厚さを考慮して被切断紙Ｗ１を強く咥えることはないので、互いに接触する面間でセットオフすることによる汚れが生じることがない。
【００５４】
また、図７、図８及び図９に示されるように、差し刃８の作用部２１が咥え胴３の外へ引き出され、折り畳まれる被切断紙Ｗ１から離れる際に、折り畳まれる被切断紙Ｗ１は、紙幅方向を断続的に固定あご１１の作用部２０と可動咥え１３の作用部１８とで咥えられてしっかりと保持されている。
【００５５】
また、差し刃８の作用部２１に対応する部分は、固定あご１１の逃がし部１７と可動咥え１３の逃がし部１９とで隙間がなくなる程度に押えられているだけであるので、差し刃８は抜けやすく、咥えられている被切断紙Ｗ１が差し刃８と一緒に咥え胴３の外周面の外に引き出されることはなく、紙の縁がそろった状態で折り畳まれる。
【００５６】
上記咥え装置９の作動は、可動咥え１３に逃がし部を設けない場合でも、略同様に行われる。
【００５７】
そして図１０に示されるように、咥え装置９は、折帳Ｗ２を咥え、咥え胴３の回転とともに折帳Ｗ２を咥え胴３の外周面に沿って案内し、咥え胴３が折胴２との近接対向位置、つまり咥え位置から略５分の３だけ回転すると可動咥え１３が固定あご１１から離れる向きに移動し、咥え手段１２を開いて折帳Ｗ２を図示しない下流側の排出機構に引き渡す。
【００５８】
このように折胴２と咥え胴３による作用が、前記鋸胴１と折胴２の連続作用に引き続いて連続的に行われ、折り畳みが続けられる。
【００５９】
この実施の形態では、咥え装置９の固定あご１１を、開口部１０の咥え胴３の回転方向の先行側壁面先端に設けたが、これは、開口部１０の咥え胴３の回転方向の後方側壁面先端に設け、これに咥え装置１２を対向するようにしてもよい。
【００６０】
以上説明した折畳部１６は、鋸胴１、折胴２、咥え胴３の直径比を略２対５対５対とした例で示したが、各胴の直径比はこれに限定するものではない。
【００６１】
【発明の効果】
この発明は以上の記載の通りであるので、この発明の実施により以下のような効果を得ることができる。
【００６２】
紙幅方向に断続する作用部を有する差し刃にて、被切断紙を咥え胴の咥え装置の開口部内へ差し込んで、この開口部の固定あごと可動咥えにて咥えるときに、この開口部の固定あごの差し刃の作用部と対応する位置に、逃がし部が設けてあるので、被切断紙の差し刃の作用部に対応する部分が、固定あごの逃がし部に沿って逃がされて、この部分に不要な押し付け力を受けることなく被切断紙が差し込まれ、また被切断紙の差し刃の作用部がない位置の部分は、固定あごの作用部と可動咥えの作用部との間に、不要な押し付け力を受けることなく差し込まれるので、被切断紙は、差し刃によって固定あごに強く押し付けられることがなくなり、外面が損傷したり互いに接触する面間でセットオフすることによる汚れが生じることがなくなり、印刷品質を良好に保つことが可能になった。
【００６３】
また、可動咥えが被切断紙を咥える位置に移動して固定あごと可動咥えにて被切断紙を咥えた後でも、固定あごの逃がし部と可動咥えとの間では、差し刃の作用部と被切断紙を、これらの間の隙間がなくなる程度に押えるだけとなり、また、差し刃の作用部がない部分では、被切断紙を固定あごの作用部と可動咥えの作用部とで、被切断紙の間に差し刃を介在することなく咥えるので、この部分の被切断紙は差し刃の厚さを考慮して被切断紙を強く咥えることがなくなり、互いに接触する面間でセットオフすることによる汚れが生じることがなくなり、印刷品質を良好に保つことが可能になった。
【００６４】
また、差し刃の作用部が咥え胴の外側へ引き出され、折り畳まれようとする被切断紙から離れる際に、折り畳まれようとする被切断紙は、紙幅方向を断続状に固定あごの作用部と可動咥えの作用部とで咥えられてしっかり保持されることになり、また、差し刃の作用部に対応する部分は、固定あごの逃がし部と可動咥えとで隙間がなくなる程度に押えているだけであるので、被切断紙を咥え装置内へ押し込んだ後の差し刃は抜けやすく、咥えられている被切断紙が差し刃と一緒に咥え胴の外周面の外に引き出されることがなくなり、紙が乱れることによる不良折帳の発生を防止できた。
【００６５】
また、請求項２記載の発明では、可動咥えに固定あごと対応させて作用部と逃がし部をそれぞれ備えたことにより、可動咥えの逃がし部において、差し刃の作用部と被切断紙を隙間がなくなる程度に軽く押えることが容易となるので、可動咥えが被切断紙を咥える位置に移動した際に、被切断紙のセットオフすることによる汚れを更に少なくすることが可能になった。
【００６６】
また、差し刃の作用部が咥え胴の外へ引き出され、折り畳まれようとする被切断紙から離れる際に、差し刃は更に抜けやすくなるので、紙が乱れる不良折帳の発生防止をより良好、かつ容易に行うことができる。
【図面の簡単な説明】
【図１】  図１０のＡ−Ａ線矢視断面図で、この発明の実施の形態の差し刃挿入時を示す説明図である。
【図２】  図１のＢ−Ｂ線矢視断面図である。
【図３】  図１のＣ−Ｃ線矢視断面図である。
【図４】  図１０のＡ−Ａ線矢視断面図で、この発明の実施の形態の紙咥え時を示す説明図である。
【図５】  図４のＤ−Ｄ線矢視断面図である。
【図６】  図４のＥ−Ｅ線矢視断面図である。
【図７】  図１０のＡ−Ａ線矢視断面図で、この発明の実施の形態の差し刃抜き出し時における紙咥え状態を示す説明図である。
【図８】  図７のＦ−Ｆ線矢視断面図である。
【図９】  図７のＧ−Ｇ線矢視断面図である。
【図１０】  この発明の咥え装置の１つの形態を実施した折畳部を示す概略的説明図である。
【符号の説明】
１…鋸胴、２…折胴、３…咥え胴、４…鋸刃受け、５…鋸刃、６…切断機構、７…針（保持機構）、８…差し刃、９…咥え装置、１０…開口部、１１…固定あご、１２…咥え手段、１３…可動咥え、１４…ブラケット、１５…駆動伝達軸、１６…折畳部、１７…固定あごの逃がし部、１８…可動咥えの作用部、１９…可動咥えの逃がし部、２０…固定あごの作用部、２１…差し刃の作用部、Ｗ…連続紙、Ｗ１…被切断紙、Ｗ２…折帳。
【図１】
0003738418.tif 000002
【図２】
0003738418.tif 000003
【図３】
0003738418.tif 000004
【図４】
0003738418.tif 000005
【図５】
0003738418.tif 000006
【図６】
0003738418.tif 000007
【図７】
0003738418.tif 000008
【図８】
0003738418.tif 000009
【図９】
0003738418.tif 000010
【図１０】
0003738418.tif 000011